Podtech/llm-jp-corpus-v4-ja_patent huggingface dataset:
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
シリンダ内に飲料の原料と湯を投入し、フィルタを介して飲料抽出する飲料抽出装置において、
前記フィルタを介して抽出した飲料を前記シリンダ内に再投入し、この再投入した飲料により前記シリンダ内の原料と湯を撹拌混合する第１撹拌混合回路を備えたことを特徴とする飲料抽出装置。
【請求項２】
抽出した前記飲料を、平面視における前記シリンダの中央部に再投入することを特徴とする請求項１に記載の飲料抽出装置。
【請求項３】
前記シリンダ内にエアーを搬送し、この搬送したエアーにより前記シリンダ内の原料と湯を撹拌混合する第２撹拌混合回路を備えたことを特徴とする請求項１または請求項２に記載の飲料抽出装置。
【請求項４】
一回の抽出に際して、前記第１撹拌混合回路と前記第２撹拌混合回路とを介して飲料の循環による撹拌混合とエアーによる撹拌混合とを行うことを特徴とする請求項３に記載の飲料抽出装置。
【請求項５】
前記飲料の循環流量および／または前記エアーの風量を制御することを特徴とする請求項３または請求項４に記載の飲料抽出装置。
【請求項６】
抽出した前記飲料を、平面視における前記シリンダの全体に散布することを特徴とする請求項１に記載の飲料抽出装置。
【手続補正２】
【補正対象書類名】明細書
【補正対象項目名】０００５
【補正方法】変更
【補正の内容】
【０００５】
上記目的を達成するために、本発明は、シリンダ内に飲料の原料と湯を投入し、フィルタを介して飲料抽出する飲料抽出装置において、前記フィルタを介して抽出した飲料を前記シリンダ内に再投入し、この再投入した飲料により前記シリンダ内の原料と湯を撹拌混合する第１撹拌混合回路を備えたことを特徴とする。
【手続補正３】
【補正対象書類名】明細書
【補正対象項目名】０００８
【補正方法】変更
【補正の内容】
【０００８】
第１の発明における飲料抽出装置は、シリンダ内に飲料の原料と湯を投入し、フィルタを介して飲料抽出する飲料抽出装置において、前記フィルタを介して抽出した飲料を前記シリンダ内に再投入し、この再投入した飲料により前記シリンダ内の原料と湯を撹拌混合する第１撹拌混合回路を備えたことを特徴とする。
この発明によれば、再投入した飲料により、シリンダ内の原料と湯が撹拌混合されるため、シリンダ内の飲料の撹拌混合のバラつきを抑制できる飲料抽出装置を提供できる。
【手続補正４】
【補正対象書類名】明細書
【補正対象項目名】００１６
【補正方法】変更
【補正の内容】
【００１６】
以下、本実施の形態に係る飲料抽出装置１の構成を説明する。
本実施の形態に係る飲料抽出装置１は、ドリップによりコーヒー飲料を抽出する装置である。飲料抽出装置１は、フィルターブロック１６上で、ペーパーフィルタ１０（フィルタ）を介してコーヒー飲料をドリップにより抽出可能であり、コーヒー飲料抽出後のペーパーフィルタ１０は、搬送部６０により搬送経路１００に沿って移動し、飲料抽出装置１の下部に備えられる収容部３０に蓄積される。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
シリンダ内に原料と湯を投入し、フィルタを介して飲料を抽出する飲料抽出装置において、
前記シリンダに前記原料を投入する原料投入口を開閉するシャッタ部材を備えたことを特徴とする飲料抽出装置。
【請求項２】
前記原料投入口は、前記シリンダの上部に設置される蓋体に形成され、前記蓋体と前記シリンダとの間にサブカバーを設け、
前記シャッタ部材は、前記蓋体の原料投入口に対応する位置に形成されたサブカバーの原料投入孔の開閉を行うことを特徴とする請求項１に記載の飲料抽出装置。
【請求項３】
駆動モータにより回転駆動される駆動カムギアを備え、
前記シャッタ部材は、前記駆動カムギアに形成されたカム溝に追随するシャッタリンク部材により開閉動作されることを特徴とする請求項１または請求項２に記載の飲料抽出装置。
【請求項４】
前記シャッタ部材は、前記原料投入口から前記原料を投入する時に開くように動作され、それ以外の時は、前記原料投入口を閉じるように動作されることを特徴とする請求項１から請求項３のいずれか一項に記載の飲料抽出装置。
【請求項５】
前記シャッタ部材の上面に前記原料投入口の近傍に摺接する突起が形成されていることを特徴とする請求項１から請求項４のいずれか一項に記載の飲料抽出装置。
【手続補正２】
【補正対象書類名】明細書
【補正対象項目名】０００５
【補正方法】変更
【補正の内容】
【０００５】
前記目的を達成するため、本発明の飲料抽出装置は、シリンダ内に原料と湯を投入し、フィルタを介して飲料を抽出する飲料抽出装置において、前記シリンダに前記原料を投入する原料投入口を開閉するシャッタ部材を備えたことを特徴とする。
これによれば、シャッタ部材が閉じた状態では、原料投入口の内部における水分の浸入を防止するため、水分に起因する原料投入口の内部の原料詰まりを防止することができる。
【手続補正３】
【補正対象書類名】明細書
【補正対象項目名】００１４
【補正方法】変更
【補正の内容】
【００１４】
以下、本実施の形態に係る飲料抽出装置１の構成を説明する。
本実施の形態に係る飲料抽出装置１は、ドリップによりコーヒー飲料を抽出する装置である。飲料抽出装置１は、フィルターブロック１６上で、フィルタとしてのペーパーフィルタ１０を介してコーヒー飲料をドリップにより抽出可能な装置である。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
経皮的に測定された患者の血中の酸素飽和度に係る測定データを取得するパルスオキシメーターであって、
電池駆動により外部との接続なく単独での測定を行う第一測定モードと、上位システムとの間で前記測定データのリアルタイム転送をしながら測定を行う第二測定モードでの動作が可能となっており、
前記上位システムとの間で前記測定データのリアルタイム転送を含む有線通信を可能とする有線インターフェースと、
前記上位システムに対する前記測定データのリアルタイム転送の可否を判定する判定手段と、
前記判定手段による判定結果に応じて、前記第一測定モードと前記第二測定モードとの切り替えを行うモード切替手段と、を備えることを特徴とするパルスオキシメーター。
【請求項２】
前記測定データを記録する記録手段を備えており、
前記判定手段によって前記測定データのリアルタイム転送が不可と判定され、前記モード切替手段によって、前記第二測定モードから前記第一測定モードに切り替えられた場合に、
前記第一測定モード中に測定された前記測定データは、前記記録手段に記録されることを特徴とする請求項１に記載のパルスオキシメーター。
【請求項３】
前記有線インターフェースに接続される接続線は、前記上位システムとの前記有線通信と電力の受給に対応しており、
前記第二測定モードは、有線接続時に、前記接続線及び前記有線インターフェースを介して電力を受給しながら測定を行うように動作することを特徴とする請求項１又は２に記載のパルスオキシメーター。
【請求項４】
前記第二測定モードは、有線接続時における動作中に電力の供給が途絶えた場合に、自動的に前記電池から電力を受給しながら測定を行うように動作することを特徴とする請求項３に記載のパルスオキシメーター。
【請求項５】
前記測定データと予め設定された閾値とを比較し、前記測定データが正常か異常かを判定する比較判定手段と、
前記測定データが、前記比較判定手段によって異常と判定された場合に、前記測定データの異常を伝える信号を前記上位システムに通知する通知手段と、を備えることを特徴とする請求項１〜４のいずれか一項に記載のパルスオキシメーター。
【請求項６】
前記通知手段による通知は、無線通信によって行われることを特徴とする請求項５に記載のパルスオキシメーター。
【請求項７】
現在の測定モードが前記第一測定モードであるか前記第二測定モードであるかを表示する表示部を備えることを特徴とする請求項１〜６のいずれか一項に記載のパルスオキシメーター。
【請求項８】
経皮的に測定された患者の血中の酸素飽和度に係る測定データを取得するパルスオキシメーターと、
患者ごとに対応して配置される患者情報通信装置と、
前記患者情報通信装置と通信可能に接続され、前記パルスオキシメーターによる前記測定データの収集を行う上位システムと、を備えたモニタリングシステムであって、
前記パルスオキシメーターは、電池駆動により外部との接続なく単独での測定を行う第
一測定モードと、上位システムとの間で前記測定データのリアルタイム転送をしながら測定を行う第二測定モードでの動作が可能となっており、
前記患者情報通信装置は、前記パルスオキシメーターとの間での前記測定データのリアルタイム転送を含む有線通信を可能とする有線インターフェースを有することを特徴とするモニタリングシステム。
【請求項９】
前記患者情報通信装置は、前記有線インターフェースを介して前記パルスオキシメーターに電力を供給する電源手段を備えることを特徴とする請求項８に記載のモニタリングシステム。
【請求項１０】
前記上位システムは、複数の患者に装着された前記パルスオキシメーターから前記患者情報通信装置を介して前記測定データを受信し、前記複数の患者分の前記測定データを同時に表示及び記録する集中管理システムとして機能することを特徴とする請求項８又は９に記載のモニタリングシステム。
【請求項１１】
前記患者情報通信装置は、患者の離床により有線接続を解除することを認識するための離床通知手段を有することを特徴とする請求項８〜１０のいずれか一項に記載のモニタリングシステム。
【請求項１２】
生体情報の測定データを取得する生体情報測定装置であって、
電池駆動により外部との接続なく単独での測定を行う第一測定モードと、上位システムとの間で前記測定データのリアルタイム転送をしながら測定を行う第二測定モードでの動作が可能となっており、
前記上位システムとの間で前記測定データのリアルタイム転送を含む有線通信を可能とする有線インターフェースと、
前記上位システムに対する前記測定データのリアルタイム転送の可否を判定する判定手段と、
前記判定手段による判定結果に応じて、前記第一測定モードと前記第二測定モードとの切り替えを行うモード切替手段と、を備えることを特徴とする生体情報測定装置。
【手続補正２】
【補正対象書類名】明細書
【補正対象項目名】発明の名称
【補正方法】変更
【補正の内容】
【発明の名称】パルスオキシメーター、モニタリングシステム及び生体情報測定装置
【手続補正３】
【補正対象書類名】明細書
【補正対象項目名】０００１
【補正方法】変更
【補正の内容】
【０００１】
本発明は、パルスオキシメーター、モニタリングシステム及び生体情報測定装置に関する。
【手続補正書】
【提出日】令和2年2月21日(2020.2.21)
【手続補正１】
【補正対象書類名】明細書
【補正対象項目名】００７０
【補正方法】変更
【補正の内容】
【００７０】
以上のように構成された電子カセッテ１Ｂは、第一筐体部５１の露出面５１ａと、第二筐体部５２の露出面５２ａとが同一平面上に形成されており、これらの露出面によって筐体４の背面４ｂが構成されている。このため、電子カセッテ１Ａと同様の効果を得ることができる。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
シリンダ内に飲料の原料と湯を投入し、フィルタを介して飲料を抽出する飲料抽出装置において、
前記シリンダの上部にメインカバーを設置し、前記シリンダと前記メインカバーとの間にサブカバーを着脱自在に設けたことを特徴とする飲料抽出装置。
【請求項２】
前記メインカバーは、前記シリンダ内に原料を投入する原料投入口と、前記シリンダ内に湯を投入する湯投入口と、前記シリンダ内の湯気を引く湯気引き口と、前記原料を抽出するために飲料を循環撹拌させるための循環撹拌投入口と、を備えていることを特徴とする請求項１に記載の飲料抽出装置。
【請求項３】
前記サブカバーは、前記原料投入口に対応する原料投入孔と、前記湯投入口に対応する湯投入孔と、前記湯気引き口に対応する湯気引き孔と、前記循環撹拌投入口に対応する循環撹拌投入孔とを備え、
前記湯気引き孔には、湯気引き用フィルタが設けられていることを特徴とする請求項１または請求項２に記載の飲料抽出装置。
【手続補正２】
【補正対象書類名】明細書
【補正対象項目名】０００５
【補正方法】変更
【補正の内容】
【０００５】
前記目的を達成するため、本発明の飲料抽出装置は、シリンダ内に原料と湯を投入し、フィルタを介して飲料を抽出する飲料抽出装置において、前記シリンダの上部に蓋体を設置し、前記シリンダと前記蓋体との間にサブカバーを着脱自在に設けたことを特徴とする。
これによれば、シリンダと蓋体との間にサブカバーを設けているので、飲料の抽出により発生する湯気は、サブカバーの下面側に付着することになり、湯気により付着する原料の細粉もサブカバーの下面側に付着することになる。そのため、サブカバーを取り外すだけで清掃を行うことができる。
【手続補正３】
【補正対象書類名】明細書
【補正対象項目名】００１２
【補正方法】変更
【補正の内容】
【００１２】
以下、本実施の形態に係る飲料抽出装置１の構成を説明する。
本実施の形態に係る飲料抽出装置１は、ドリップによりコーヒー飲料を抽出する装置である。飲料抽出装置１は、フィルターブロック１６上で、フィルタとしてのペーパーフィルタ１０を介してコーヒー飲料をドリップにより抽出可能な装置である。
【手続補正４】
【補正対象書類名】明細書
【補正対象項目名】００１７
【補正方法】変更
【補正の内容】
【００１７】
図２に示すように、カバー部材４０は、メインカバー４１と別部材で着脱可能なサブカバー４９を備える。サブカバー４９は、メインカバー４１とシリンダ２１の頭部２８との間に備えられ、図２中矢印で示すように、メインカバー４１に沿ってスライド可能であり着脱自在とされている。
サブカバー４９には、原料投入口４３に対応する原料投入孔（図示せず）、湯投入口４４に対応する湯投入孔１５６、湯気引き口４５に対応する湯気引き孔１５７、循環撹拌投入口４７に対応する循環撹拌投入孔１５８がそれぞれ形成されている。
湯気引き孔１５７には、湯気引き用フィルタとしてのフィルタ１５９が設けられている。
【手続補正書】
【提出日】令和2年11月9日(2020.11.9)
【手続補正１】
【補正対象書類名】明細書
【補正対象項目名】０００５
【補正方法】変更
【補正の内容】
【０００５】
特許文献２に記載された技術は、セメント系材料を積層することにより積層構造を製造する方法に関するものである。この積層構造の製造方法では、セメント系材料の凝結時間を遅らせる凝結遅延性能を有する凝結遅延剤層をセメント系材料の層間に設けている。すなわち、セメント系材料の層間に凝結遅延剤を噴霧して凝結時間を遅らせることで、次層と一体化を図る方法である。
【手続補正書】
【提出日】令和2年11月9日(2020.11.9)
【手続補正１】
【補正対象書類名】明細書
【補正対象項目名】０００４
【補正方法】変更
【補正の内容】
【０００４】
特許文献２に記載された技術は、セメント系材料を積層することにより積層構造を製造する方法に関するものである。この積層構造の製造方法では、セメント系材料の凝結時間を遅らせる凝結遅延性能を有する凝結遅延剤層をセメント系材料の層間に設けている。すなわち、セメント系材料の層間に凝結遅延剤を噴霧して凝結時間を遅らせることで、次層と一体化を図る方法である。
【手続補正２】
【補正対象書類名】明細書
【補正対象項目名】００１３
【補正方法】変更
【補正の内容】
【００１３】
そして、吐出ノズルの移動（進行）に伴い、セメント系材料および樹脂系材料を同時に吐出させると、セメント系材料で両側を囲まれた領域内に樹脂系材料が吐出されるので、セメント系材料で樹脂系材料を挟み込むことができる。なお、吐出ノズルの配設位置は、造形する積層複合構造物や吐出する材料に応じて、適宜変更して設定することができ、上述した例において、吐出ノズルの進行方向に対して、セメント系材料の吐出ノズルを前側に配置するとともに、樹脂系材料の吐出ノズルを後側に配置してもよい。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
対応付けられたゲーム要素を特定する情報が付された物品を複数載置可能に構成された盤面と、
前記盤面上に載置された複数の前記物品に付された情報に基づいて、ゲームの処理を実行する実行手段と、
前記盤面に載置された前記物品に対応する複数のゲーム要素について、所定の経路に沿って目標位置まで移動可能な、該複数のゲーム要素の各々を示す指標の位置に基づき、前記ゲームにおいて該複数のゲーム要素の各々が行動可能か否かを提示手段に提示させる制御手段と、
を備え、
前記盤面は、複数の領域を含み、
前記制御手段は、ゲーム要素を示す前記指標の移動速度を、該ゲーム要素に対応する前記物品が載置された前記盤面上の領域に応じて異ならせるゲーム装置。
【請求項２】
前記複数の領域は、前記ゲームにおける異なる行動種別が割り当てられており、
各ゲーム要素の行動が、該ゲーム要素に対応する前記物品が載置された前記盤面上の領域に応じて決定される
請求項１に記載のゲーム装置。
【請求項３】
前記制御手段は、前記目標位置に到達した前記指標に係るゲーム要素が行動可能である旨の情報をさらに前記提示手段に提示させる請求項１または２に記載のゲーム装置。
【請求項４】
前記制御手段は、ゲーム要素を示す前記指標の前記移動速度を、該ゲーム要素の前記ゲームにおける性能値に応じてさらに異ならせる請求項１乃至３のいずれか１項に記載のゲーム装置。
【請求項５】
前記制御手段は、ゲーム要素を示す前記指標の前記経路における移動開始位置を、該ゲーム要素に対応する前記物品が載置された前記盤面上の領域、及び該ゲーム要素の前記ゲームにおける性能値の少なくともいずれかに応じて設定する請求項１乃至４のいずれか１項に記載のゲーム装置。
【請求項６】
前記制御手段は、前記ゲームの進行を有利にせしめる性能値を有するゲーム要素を示す前記指標ほど、前記経路の前記目標位置から遠離させた前記移動開始位置を設定する請求項５に記載のゲーム装置。
【請求項７】
前記制御手段は、複数のゲーム要素の各々を示す前記指標の前記移動開始位置を重複させないよう設定する請求項５または６に記載のゲーム装置。
【請求項８】
前記経路は、一端に前記目標位置を有し、他端に初期位置を有しており、
前記制御手段は、前記複数の領域のうちの第１の領域に載置された前記物品に対応するゲーム要素を示す前記指標の前記移動開始位置を、前記初期位置以外に設定する請求項５乃至７のいずれか１項に記載のゲーム装置。
【請求項９】
前記制御手段は、前記複数の領域のうちの、前記第１の領域とは異なる第２の領域に載置された前記物品に対応するゲーム要素を示す前記指標を、前記初期位置に提示させる請求項８に記載のゲーム装置。
【請求項１０】
前記制御手段は、前記第２の領域に載置された前記物品に対応するゲーム要素を示す前記指標を、該物品が前記第２の領域に載置されている期間、移動しないよう制御する請求項９に記載のゲーム装置。
【請求項１１】
前記制御手段は、前記ゲームの進行において行動不能状態となったゲーム要素については、該ゲーム要素を示す指標の前記経路上での移動を停止し、行動不能である旨の情報をさらに前記提示手段に提示させる請求項９または１０に記載のゲーム装置。
【請求項１２】
前記実行手段は、前記行動不能状態となったゲーム要素に対応する前記物品が前記第２の領域に所定の期間載置された場合に、該ゲーム要素の前記行動不能状態を解除する請求項１１に記載のゲーム装置。
【請求項１３】
前記ゲームは、対戦ゲームであり、
前記経路は、プレイヤに係るゲーム要素を示す前記指標が提示される第１の経路と、対戦相手に係るゲーム要素を示す前記指標が提示される第２の経路とを含み、
前記制御手段は、前記第１の経路と前記第２の経路とを、それぞれの前記目標位置が所定の範囲内に近接するように配置して提示させる請求項１乃至１２のいずれか１項に記載のゲーム装置。
【請求項１４】
前記制御手段は、ゲーム要素が行動可能となるまでの時間に応じて、該ゲーム要素を示す前記指標が前記目標位置まで移動するよう制御する請求項１乃至１３のいずれか１項に記載のゲーム装置。
【請求項１５】
ゲーム要素を示す前記指標は、該指標がいずれのゲーム要素に対応しているかを識別可能ならしめる画像を含む請求項１乃至１４のいずれか１項に記載のゲーム装置。
【請求項１６】
前記実行手段は、ゲーム要素を示す前記指標が前記目標位置に至り、かつ行動開始に係る操作入力がなされた場合に、前記ゲームにおいて該ゲーム要素の行動を発動させる請求項１乃至１５のいずれか１項に記載のゲーム装置。
【請求項１７】
コンピュータを、請求項１乃至１６のいずれか１項に記載のゲーム装置の各手段として機能させるためのプログラム。
【請求項１８】
対応付けられたゲーム要素を特定する情報が付されたゲーム用物品と、ゲーム装置とを含むゲームシステムであって、
前記ゲーム装置は、
前記ゲーム用物品を複数載置可能に構成された盤面と、
前記盤面上に載置された複数の前記ゲーム用物品に付された情報に基づいて、ゲームの処理を実行する実行手段と、
前記盤面に載置された前記ゲーム用物品に対応する複数のゲーム要素について、所定の経路に沿って目標位置まで移動可能な、該複数のゲーム要素の各々を示す指標の位置に基づき、前記ゲームにおいて該複数のゲーム要素の各々が行動可能か否かを提示手段に提示させる制御手段と、
を備え、
前記盤面は、複数の領域を含み、
前記制御手段は、ゲーム要素を示す前記指標の移動速度を、該ゲーム要素に対応する前記ゲーム用物品が載置された前記盤面上の領域に応じて異ならせるゲームシステム。
【手続補正２】
【補正対象書類名】明細書
【補正対象項目名】０００６
【補正方法】変更
【補正の内容】
【０００６】
本発明のゲーム装置は、対応付けられたゲーム要素を特定する情報が付された物品を複数載置可能に構成された盤面と、盤面上に載置された複数の物品に付された情報に基づいて、ゲームの処理を実行する実行手段と、盤面に載置された物品に対応する複数のゲーム要素について、所定の経路に沿って目標位置まで移動可能な、該複数のゲーム要素の各々を示す指標の位置に基づき、ゲームにおいて複数のゲーム要素の各々が行動可能か否かを提示手段に提示させる制御手段と、を備え、盤面は、複数の領域を含み、制御手段は、ゲーム要素を示す指標の移動速度を、該ゲーム要素に対応する物品が載置された盤面上の領域に応じて異ならせる。
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
船舶に主機関とは別個に設けられ、発電機エンジンを有する発電機と、
蒸気機関を有し前記船舶における荷役作業を行う荷役機器に供給される作動流体を生成する補助ボイラと、
前記発電機エンジン及び前記補助ボイラの各排気口に接続され、前記発電機エンジンからの第１排ガス及び前記補助ボイラからの第２排ガスの脱硫処理を行う共通の反応塔を有する脱硫装置と
前記発電機エンジンの排気口と前記反応塔とを接続する配管と、
を備え、
前記配管は、所定期間における第１排ガスの排気吐出圧について平均値との差の最大値を低減する拡幅部を有する
船舶用脱硫システム。
【請求項２】
所定期間における前記第１排ガスの排気量をＣ１とし、前記所定期間における前記第２排ガスの排気量をＣ２とし、前記所定期間における前記第１排ガスの排気吐出圧の平均値をＶ１とし、前記所定期間における前記第１排ガスの排気吐出圧について前記平均値との差の最大値をＶ２とすると、前記排気量Ｃ１、前記排気量Ｃ２、前記平均値Ｖ１、及び前記最大値Ｖ２は、
（Ｖ２／Ｖ１）×（Ｃ１／Ｃ２）≦０．３
の関係を満足する
請求項１に記載の船舶用脱硫システム。
【請求項３】
前記発電機及び前記補助ボイラの負荷を制御することで、前記排気量Ｃ１、前記排気量Ｃ２、前記平均値Ｖ１、及び前記最大値Ｖ２について前記関係を満足させる制御部を備える
請求項２に記載の船舶用脱硫システム。
【請求項４】
前記拡幅部は、前記最大値Ｖ２を低減することで、前記排気量Ｃ１、前記排気量Ｃ２、前記平均値Ｖ１、及び前記最大値Ｖ２について前記関係を満足させる
請求項２又は請求項３に記載の船舶用脱硫システム。
【請求項５】
前記反応塔は、前記主機関に設けられる主機エンジンの排気口に接続され、前記主機エンジンからの第３排ガスの脱硫処理を行う
請求項１から請求項４のいずれか一項に記載の船舶用脱硫システム。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
車両及び車両周囲に関する情報を取得する車両情報取得部と、
運転者に関する情報を取得する運転者情報取得部と、
前記車両及び車両周囲に関する情報又は前記運転者に関する情報に基づいて、車外から受領し運転者に出力される情報を制御する制御部と、
を備え、
前記制御部は、制御された情報量が所定量より多い場合に、出力情報を視覚情報として出力せずに聴覚情報として出力する情報制御装置。
【請求項２】
前記運転者に関する情報は、運転者の操作に関する情報である、
請求項１に記載の情報制御装置。
【請求項３】
前記所定量は、前記出力情報を前記視覚情報として出力させても前記運転者に対して負荷とならないような車両周囲の情報量の限界値である、
請求項１に記載の情報制御装置。
【請求項４】
前記制御部は、前記車両及び車両周囲に関する情報並びに前記運転者に関する情報に基づいて、前記車両周囲の安全性を予測し、当該安全性に基づいて前記出力情報を制御する、
請求項１乃至３のいずれか１項に記載の情報制御装置。
【請求項５】
前記制御部は、前記出力情報に関する出力のオン又はオフを制御する、
請求項１乃至３のいずれか１項に記載の情報制御装置。
【請求項６】
前記制御部は、前記出力情報の情報量を制御する、
請求項１乃至３のいずれか１項に記載の情報制御装置。
【請求項７】
前記出力情報の情報量は、文字数、単語数、文節、アイコン及び図の数、又は図示での注目点の数から定義されるチャンク数により決定される、
請求項６に記載の情報制御装置。
【請求項８】
前記制御部は、前記出力情報の出力位置を制御する、
請求項１乃至３のいずれか１項に記載の情報制御装置。
【請求項９】
前記制御部は、前記出力情報の出力形態を制御する、
請求項１乃至３のいずれか１項に記載の情報制御装置。
【請求項１０】
前記出力情報は、制御された前記情報量が所定量よりも少ない場合、視覚情報として出力される、
請求項９に記載の情報制御装置。
【請求項１１】
前記運転者情報取得部は、前記運転者に関する情報として、運転者の操作に関する情報並びに前記車両情報取得部により取得された前記車両及び車両周囲に関する情報に基づく当該運転者の操作意図に関する情報を取得する、
請求項１乃至３のいずれか１項に記載の情報制御装置。
【手続補正２】
【補正対象書類名】明細書
【補正対象項目名】０００７
【補正方法】変更
【補正の内容】
【０００７】
車両及び車両周囲に関する情報を取得する車両情報取得部と、
運転者に関する情報を取得する運転者情報取得部と、
前記車両及び車両周囲に関する情報又は前記運転者に関する情報に基づいて、車外から受領し運転者に出力される情報を制御する制御部と、
を備え、
前記制御部は、制御された情報量が所定量より多い場合に、出力情報を視覚情報として出力せずに聴覚情報として出力する。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
シート搬送方向に沿って延び、前記シート搬送方向に直交する幅方向におけるシートの端部に当接可能な当接面を有する当接部材と、
シートの移動方向が前記シート搬送方向に対して第１方向に傾斜するように設けられ、前記第１方向と直交する軸線を中心に回転可能であり、前記幅方向において前記当接面に近づくようにシートを斜送する第１斜送ローラ対と、
シートの移動方向が前記シート搬送方向に対して第２方向に傾斜するように設けられ、前記第２方向と直交する軸線を中心に回転可能であり、前記幅方向において前記当接面に近づくようにシートを斜送する第２斜送ローラ対と、
前記シート搬送方向において前記第１斜送ローラ対及び前記第２斜送ローラ対の上流に設けられ、前記シート搬送方向にシートを搬送する搬送ローラ対と、を備え、
前記幅方向において、前記第２斜送ローラ対は前記搬送ローラ対によって搬送されるシートの搬送中心線に対して前記当接部材と同じ側に配置され、かつ、前記第１斜送ローラ対は前記搬送中心線に対して前記当接部材とは反対側に配置され、
前記シート搬送方向に対する前記第１方向の角度は、前記シート搬送方向に対する前記第２方向の角度の２倍以上であり、かつ、前記シート搬送方向に対する前記第１方向の角度が２０度以上４０度以下である、
ことを特徴とするシート搬送装置。
【請求項２】
前記シート搬送方向において前記第１斜送ローラ対が配置される範囲と、前記シート搬送方向において前記第２斜送ローラ対が配置される範囲とが、前記幅方向から視て部分的に重なる、
ことを特徴とする、請求項１に記載のシート搬送装置。
【請求項３】
前記第１斜送ローラ対と前記第２斜送ローラ対の両方によってシートを搬送している状態において、前記第１斜送ローラ対の周速は、前記第２斜送ローラ対の周速よりも速い、
ことを特徴とする、請求項１又は２に記載のシート搬送装置。
【請求項４】
前記第１斜送ローラ対を、シートを挟持可能な加圧状態と、加圧状態が解除された解除状態とに切換える第１切換手段と、
前記第２斜送ローラ対を、シートを挟持可能な加圧状態と、加圧状態が解除された解除状態とに切換える第２切換手段と、
前記第１切換手段及び前記第２切換手段を制御する制御手段と、を備え、
前記制御手段は、前記第１斜送ローラ対が加圧状態にあり、前記第２斜送ローラ対が解除状態にある状態で前記第１斜送ローラ対によるシートの搬送を開始させた後、前記第２斜送ローラ対を加圧状態に切換えて前記第２斜送ローラ対にシートを搬送させる第１動作を開始する、
ことを特徴とする、請求項１乃至３のいずれか１項に記載のシート搬送装置。
【請求項５】
前記制御手段は、前記第１動作の実行を開始した後、前記第２斜送ローラ対の駆動速度を増加させる第２動作を実行する、
ことを特徴とする、請求項４に記載のシート搬送装置。
【請求項６】
前記制御手段は、前記第１動作を開始した後も前記第１斜送ローラ対を加圧状態に保持したままで前記第２動作を開始する第１モードと、前記第１動作を開始した後に前記第１斜送ローラ対を解除状態に切換えて前記第２動作を開始する第２モードと、を実行可能であり、第１の坪量を有するシートを搬送する場合に前記第１モードを実行し、前記第１の坪量より小さい第２の坪量を有するシートを搬送する場合に前記第２モードを実行する、
ことを特徴とする、請求項５に記載のシート搬送装置。
【請求項７】
前記搬送ローラ対は、ニップ部を開放可能に構成されており、
シートの前記シート搬送方向における下流端が前記第１斜送ローラ対に到達した後に、前記搬送ローラ対の前記ニップ部が開放される、
ことを特徴とする、請求項１乃至６のいずれか１項に記載のシート搬送装置。
【請求項８】
前記搬送ローラ対を第１搬送ローラ対として、前記シート搬送方向において前記第１斜送ローラ対及び前記第２斜送ローラ対の下流に配置され、シートを挟持して搬送する第２搬送ローラ対を備え、
前記第１斜送ローラ対は、シートを挟持して搬送可能な加圧状態と、加圧状態が解除された解除状態とに切換可能であり、加圧状態でシートを前記当接面に向けて搬送する動作を開始した後、少なくとも前記シート搬送方向におけるシートの下流端が前記第２斜送ローラ対に到達する前に、解除状態に切換わる、
ことを特徴とする、請求項４に記載のシート搬送装置。
【請求項９】
前記第１斜送ローラ対及び前記第２斜送ローラ対によって前記当接面に突き当てられ、傾きを補正されたシートに画像を形成する画像形成手段を備える、
ことを特徴とする、請求項１乃至８のいずれか１項に記載のシート搬送装置。
【手続補正２】
【補正対象書類名】明細書
【補正対象項目名】０００６
【補正方法】変更
【補正の内容】
【０００６】
本発明の一態様に係るシート搬送装置は、シート搬送方向に沿って延び、前記シート搬送方向に直交する幅方向におけるシートの端部に当接可能な当接面を有する当接部材と、シートの移動方向が前記シート搬送方向に対して第１方向に傾斜するように設けられ、前記第１方向と直交する軸線を中心に回転可能であり、前記幅方向において前記当接面に近づくようにシートを斜送する第１斜送ローラ対と、シートの移動方向が前記シート搬送方向に対して第２方向に傾斜するように設けられ、前記第２方向と直交する軸線を中心に回転可能であり、前記幅方向において前記当接面に近づくようにシートを斜送する第２斜送ローラ対と、前記シート搬送方向において前記第１斜送ローラ対及び前記第２斜送ローラ対の上流に設けられ、前記シート搬送方向にシートを搬送する搬送ローラ対と、を備え、前記幅方向において、前記第２斜送ローラ対は前記搬送ローラ対によって搬送されるシートの搬送中心線に対して前記当接部材と同じ側に配置され、かつ、前記第１斜送ローラ対は前記搬送中心線に対して前記当接部材とは反対側に配置され、前記シート搬送方向に対する前記第１方向の角度は、前記シート搬送方向に対する前記第２方向の角度の２倍以上であり、かつ、前記シート搬送方向に対する前記第１方向の角度が２０度以上４０度以下である、ことを特徴とする。
【手続補正３】
【補正対象書類名】明細書
【補正対象項目名】００４３
【補正方法】変更
【補正の内容】
【００４３】
なお、本実施例の斜行補正部３０には、図６及び図７に示す斜送ローラ３２０が斜送ローラ３１１，３２１〜３２３のいずれかに置換えられた状態で、複数組の従動ローラ３３０及び加圧機構３３が配置されている。言い換えると、加圧状態と解除状態を切換可能な切換手段としての加圧機構３３は、前側の斜送ローラ３２１〜３２３に対応するもの（第２切換手段）と、奥側の斜送ローラ３１１に対応するもの（第１切換手段）とがそれぞれ設けられている。また、前側斜送ユニット３２又は奥側斜送ユニット３１の斜送ローラが追加される場合には、追加される斜送ローラの各々に加圧機構３３が配置される。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
シート搬送方向に沿って延び、シート搬送路を通過するシートの、前記シート搬送方向の直交する幅方向における端部に当接可能な当接面と、
前記シート搬送方向の下流に向かう程、前記幅方向において前記当接面に近づくように前記シート搬送方向に対して傾斜した方向の力をシートに付与することによって、シートを搬送する第１斜送手段と、
前記幅方向において前記第１斜送手段に比べて前記当接面に近い位置に配置され、前記シート搬送方向の下流に向かう程、前記幅方向において前記当接面に近づくように前記シート搬送方向に対して傾斜した方向の力をシートに付与することによって、シートを搬送する第２斜送手段と、
前記第１斜送手段のシートに対する当接圧を切換可能な第１切換手段と、
前記第１斜送手段を第１の速度で駆動し、前記第２斜送手段を第２の速度で駆動して前記第１斜送手段及び前記第２斜送手段によってシートを搬送させる第１動作、並びに前記第１動作によってシートが前記当接面に当接した後に、前記第１斜送手段を前記第１の速度より大きい第３の速度で駆動し、前記第２斜送手段を前記第２の速度より大きい第４の速度で駆動して前記第１斜送手段及び前記第２斜送手段にシートを搬送させる第２動作を実行可能な制御手段と、を備え、
前記制御手段は、前記第２動作における前記第１斜送手段の当接圧が、前記第１動作における前記第１斜送手段の当接圧より高くなるように前記第１切換手段を制御する、
ことを特徴とするシート搬送装置。
【請求項２】
前記第２斜送手段のシートに対する当接圧を切換可能な第２切換手段を含み、
前記制御手段は、前記第２動作における前記第２斜送手段の当接圧が、前記第１動作における前記第２斜送手段の当接圧より低くなるように前記第２切換手段を制御する、
ことを特徴とする、請求項１に記載のシート搬送装置。
【請求項３】
前記第２斜送手段は、それぞれシートを挟持して搬送可能な複数の挟持部を有し、前記複数の挟持部の少なくとも一部は開放可能に構成され、
前記制御手段は、前記第２動作において、前記複数の挟持部の一部が開放された状態とする、
ことを特徴とする、請求項１又は２に記載のシート搬送装置。
【請求項４】
前記第１斜送手段は、前記幅方向に対して傾斜した方向に延びる軸線を中心に回転可能な少なくとも１つの第１ローラを有し、
前記第２斜送手段は、前記幅方向に対して傾斜した方向に延びる軸線を中心に回転可能な、前記第１ローラより多く配置された第２ローラを有する、
ことを特徴とする、請求項１乃至３のいずれか１項に記載のシート搬送装置。
【請求項５】
前記第１の速度の前記シート搬送方向の成分と、前記第２の速度の前記シート搬送方向の成分とが概ね等しく、
前記第３の速度の前記シート搬送方向の成分と、前記第４の速度の前記シート搬送方向の成分とが概ね等しい、
ことを特徴とする、請求項１乃至４のいずれか１項に記載のシート搬送装置。
【請求項６】
前記第１斜送手段及び前記第２斜送手段の上流に配置され、シートを前記シート搬送方向に搬送する第１搬送手段と、
前記第１斜送手段及び前記第２斜送手段の下流に配置され、前記第２斜送手段からシートを受け取って搬送する第２搬送手段と、を含み、
前記シート搬送方向において前記第１搬送手段と前記第２搬送手段の間の検知位置でシートを検知可能な検知手段を備え、
前記制御手段は、前記第１動作を開始した後、前記検知手段によってシートが検知された後に前記第２動作を開始する、
ことを特徴とする、請求項１乃至５のいずれか１項に記載のシート搬送装置。
【請求項７】
前記第１斜送手段は、前記幅方向における前記シート搬送路の中央位置に対して前記当接面の反対側に配置され、
前記第２斜送手段は、前記幅方向における前記シート搬送路の前記中央位置に対して前記当接面と同じ側に配置される、
ことを特徴とする、請求項１乃至６のいずれか１項に記載のシート搬送装置。
【請求項８】
前記第１斜送手段は、前記シート搬送方向の下流に向かう程、前記幅方向において前記当接面に近づくように前記シート搬送方向に対して傾斜した第１方向の力をシートに付与するように構成され、
前記第２斜送手段は、前記シート搬送方向の下流に向かう程、前記幅方向において前記当接面に近づくように前記シート搬送方向に対して傾斜し、かつ前記シート搬送方向に対する傾斜角度が前記第１方向に比べて小さい第２方向の力をシートに付与するように構成される、
ことを特徴とする、請求項１乃至７のいずれか１項に記載のシート搬送装置。
【請求項９】
前記第１斜送手段及び前記第２斜送手段によって前記当接面に突き当てられ、傾きを補正されたシートに画像を形成する画像形成手段を備える、
ことを特徴とする、請求項１乃至８のいずれか１項に記載のシート搬送装置。
【手続補正２】
【補正対象書類名】明細書
【補正対象項目名】０００６
【補正方法】変更
【補正の内容】
【０００６】
本発明の一態様に係るシート搬送装置は、シート搬送方向に沿って延び、シート搬送路を通過するシートの、前記シート搬送方向の直交する幅方向における端部に当接可能な当接面と、前記シート搬送方向の下流に向かう程、前記幅方向において前記当接面に近づくように前記シート搬送方向に対して傾斜した方向の力をシートに付与することによって、シートを搬送する第１斜送手段と、前記幅方向において前記第１斜送手段に比べて前記当接面に近い位置に配置され、前記シート搬送方向の下流に向かう程、前記幅方向において前記当接面に近づくように前記シート搬送方向に対して傾斜した方向の力をシートに付与することによって、シートを搬送する第２斜送手段と、前記第１斜送手段のシートに対する当接圧を切換可能な第１切換手段と、前記第１斜送手段を第１の速度で駆動し、前記第２斜送手段を第２の速度で駆動して前記第１斜送手段及び前記第２斜送手段によってシートを搬送させる第１動作、並びに前記第１動作によってシートが前記当接面に当接した後に、前記第１斜送手段を前記第１の速度より大きい第３の速度で駆動し、前記第２斜送手段を前記第２の速度より大きい第４の速度で駆動して前記第１斜送手段及び前記第２斜送手段にシートを搬送させる第２動作を実行可能な制御手段と、を備え、前記制御手段は、前記第２動作における前記第１斜送手段の当接圧が、前記第１動作における前記第１斜送手段の当接圧より高くなるように前記第１切換手段を制御する、ことを特徴とする。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
シート搬送方向に沿って延び、シート搬送路を通過するシートの、前記シート搬送方向に直交する幅方向における端部に当接可能な当接面と、
前記シート搬送方向の下流に向かう程、前記幅方向において前記当接面に近づくように前記シート搬送方向に対して傾斜した方向の力を、挟持したシートに付与することで、シートを搬送する斜送手段と、
前記シート搬送方向において前記斜送手段より上流に配置され、前記シート搬送方向においてシートを下流に搬送する搬送手段と、
前記シート搬送方向において前記搬送手段より下流の検知位置でシートを検知する検知手段と、
前記斜送手段を駆動する駆動手段と、
前記斜送手段がシートを挟持する力を変更する変更手段と、
前記斜送手段が第１の速度で駆動されている第１状態でシートを前記当接面に当接させた後、前記検知手段からの検知信号に基づいて、前記斜送手段が前記第１の速度より速い第２の速度で駆動され、かつ前記斜送手段がシートを挟持する力が前記第１状態に比べて弱い第２状態となるように、前記駆動手段及び前記変更手段を制御する制御手段と、を備える、
ことを特徴とするシート搬送装置。
【請求項２】
前記変更手段は、前記斜送手段によるシートの挟持圧を変更可能であり、
前記制御手段は、前記第２状態における前記斜送手段の挟持圧を前記第１状態における前記斜送手段の挟持圧に比べて低く設定する、
ことを特徴とする、請求項１に記載のシート搬送装置。
【請求項３】
前記斜送手段は、それぞれシートを挟持可能な第１挟持部及び第２挟持部を含み、
前記変更手段は、前記第１挟持部及び前記第２挟持部の各々を、シートを挟持可能な加圧状態と、前記加圧状態が解除された解除状態とに変更可能であり、
前記制御手段は、前記第１状態では前記第１挟持部及び前記第２挟持部を前記加圧状態に設定し、前記第２状態では前記第１挟持部を前記解除状態に設定し、かつ前記第２挟持部を前記加圧状態に設定する、
ことを特徴とする、請求項１又は２に記載のシート搬送装置。
【請求項４】
前記搬送手段は、ニップ部にシートを挟持して搬送可能な状態と前記ニップ部が開放された状態とに切換可能な搬送ローラ対であり、
前記制御手段は、前記駆動手段に前記斜送手段を前記第１の速度より大きい速度で駆動させている状態で前記搬送ローラ対の前記ニップ部を開放させ、その後、前記駆動手段による前記斜送手段の駆動速度を前記第１の速度まで減速させて前記第１状態とする、
ことを特徴とする、請求項１乃至３のいずれか１項に記載のシート搬送装置。
【請求項５】
前記制御手段は、前記斜送手段が前記駆動手段によって継続的に駆動されている状態で前記第１状態から前記第２状態への切換えを行う、
ことを特徴とする、請求項１乃至４のいずれか１項に記載のシート搬送装置。
【請求項６】
前記搬送手段を第１搬送手段として、前記シート搬送方向において前記斜送手段より下流に配置され、シートを搬送する第２搬送手段を備え、
前記制御手段は、前記検知手段からの検知信号に基づいて、前記斜送手段を前記第２状態に切換えてから、少なくともシートの前記シート搬送方向における下流端が前記第２搬送手段に到達するまでの間、前記駆動手段に前記斜送手段を前記第２の速度で駆動させる、
ことを特徴とする、請求項１乃至５のいずれか１項に記載のシート搬送装置。
【請求項７】
前記斜送手段は、前記幅方向において前記当接面に近づく程、前記シート搬送方向の上流に向かうように前記幅方向に対して傾斜した軸線を中心に回転可能なローラ部材を有する、
ことを特徴とする、請求項１乃至６のいずれか１項に記載のシート搬送装置。
【請求項８】
前記斜送手段によって前記当接面に突き当てられ、傾きを補正されたシートに画像を形成する画像形成手段を備える、
ことを特徴とする、請求項１乃至７のいずれか１項に記載のシート搬送装置。
【手続補正２】
【補正対象書類名】明細書
【補正対象項目名】０００７
【補正方法】変更
【補正の内容】
【０００７】
本発明の一態様に係るシート搬送装置は、シート搬送方向に沿って延び、シート搬送路を通過するシートの、前記シート搬送方向に直交する幅方向における端部に当接可能な当接面と、前記シート搬送方向の下流に向かう程、前記幅方向において前記当接面に近づくように前記シート搬送方向に対して傾斜した方向の力を、挟持したシートに付与することで、シートを搬送する斜送手段と、前記シート搬送方向において前記斜送手段より上流に配置され、前記シート搬送方向においてシートを下流に搬送する搬送手段と、前記シート搬送方向において前記搬送手段より下流の検知位置でシートを検知する検知手段と、前記斜送手段を駆動する駆動手段と、前記斜送手段がシートを挟持する力を変更する変更手段と、前記斜送手段が第１の速度で駆動されている第１状態でシートを前記当接面に当接させた後、前記検知手段からの検知信号に基づいて、前記斜送手段が前記第１の速度より速い第２の速度で駆動され、かつ前記斜送手段がシートを挟持する力が前記第１状態に比べて弱い第２状態となるように、前記駆動手段及び前記変更手段を制御する制御手段と、を備える、ことを特徴とする。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
分類システムと、
円形の構成で配置され、前記分類システムによって基板が分類される複数のビンと、
ビンハンドラとを備え、前記ビンハンドラが、前記複数のビンのうちの１つのビンを受け取る第１のエンドエフェクタと、前記受け取ったビンの以前の位置に空のビンを配置する第２のエンドエフェクタとを有し、
前記ビンハンドラが、前記第１のエンドエフェクタおよび前記第２のエンドエフェクタを弧状の経路内で動かすように構成される、
分類ユニット。
【請求項２】
前記第１のエンドエフェクタおよび前記第２のエンドエフェクタの前記弧状の経路が、前記複数のビンの前記円形の構成から半径方向外方に位置する、請求項１に記載の分類ユニット。
【請求項３】
前記第１のエンドエフェクタおよび前記第２のエンドエフェクタが、前記弧状の経路の周りを同時に動くように構成される、請求項２に記載の分類ユニット。
【請求項４】
分類システムと、
前記分類システムによって基板が分類される複数のビンと、
ビンハンドラとを備え、前記ビンハンドラが、前記複数のビンのうちの１つのビンを受け取る第１のエンドエフェクタと、前記受け取ったビンの以前の位置に空のビンを配置する第２のエンドエフェクタとを有し、
前記ビンハンドラが、回転する水平クロスバーと、前記水平クロスバーから延びる垂直結合部材とを含み、前記第１のエンドエフェクタおよび前記第２のエンドエフェクタが、前記垂直結合部材の遠位端に結合される、分類ユニット。
【請求項５】
前記分類システムが、回転可能な支持体を備え、前記回転可能な支持体が、前記回転可能な支持体に結合された複数の基板グリッパを有し、前記基板グリッパが、前記複数のビンの真上に位置決めされる、請求項４に記載の分類ユニット。
【請求項６】
前記回転可能な支持体の下に位置決めされた線形コンベヤをさらに備える、請求項５に記載の分類ユニット。
【請求項７】
積み込みユニットと、
１つまたは複数の計測ステーションを含むモジュラユニットと、
分類ユニットとを備え、前記分類ユニットが、
分類システムと、
円形の構成で配置され、前記分類システムによって基板が分類される複数のビンと、
ビンハンドラとを備え、前記ビンハンドラが、前記複数のビンのうちの１つのビンを受け取る第１のエンドエフェクタと、前記受け取ったビンの以前の位置に空のビンを配置する第２のエンドエフェクタとを有し、
前記ビンハンドラが、前記第１のエンドエフェクタおよび前記第２のエンドエフェクタを弧状の経路内で動かすように構成される、
検査システム。
【請求項８】
前記積み込みユニットから前記モジュラユニットを通って前記分類ユニットへ延びる線形コンベヤをさらに備える、請求項７に記載の検査システム。
【請求項９】
前記第１のエンドエフェクタおよび前記第２のエンドエフェクタの前記弧状の経路が、前記複数のビンの前記円形の構成から半径方向外方に位置する、請求項７に記載の検査システム。
【請求項１０】
前記第１のエンドエフェクタおよび前記第２のエンドエフェクタが、前記弧状の経路の周りを同時に動くように構成される、請求項９に記載の検査システム。
【請求項１１】
積み込みユニットと、
１つまたは複数の計測ステーションを含むモジュラユニットと、
分類ユニットとを備え、前記分類ユニットが、
分類システムと、
前記分類システムによって基板が分類される複数のビンと、
ビンハンドラとを備え、前記ビンハンドラが、前記複数のビンのうちの１つのビンを受け取る第１のエンドエフェクタと、前記受け取ったビンの以前の位置に空のビンを配置する第２のエンドエフェクタとを有し、
前記ビンハンドラが、回転する水平クロスバーと、前記水平クロスバーから延びる垂直結合部材とを含み、前記第１のエンドエフェクタおよび前記第２のエンドエフェクタが、前記垂直結合部材の遠位端に結合される、
検査システム。
【請求項１２】
前記分類システムが、回転可能な支持体を備え、前記回転可能な支持体が、前記回転可能な支持体に結合された複数の基板グリッパを有し、前記基板グリッパが、前記複数のビンの真上に位置決めされる、請求項１１に記載の検査システム。
【請求項１３】
分類ユニットを動作させる方法であって、
検査基準に基づいて円形の構成で配置される複数のビンのうちのそれぞれのビン内へ複数の基板を分類するステップと、
前記複数のビンのうちの１つのビンが満杯またはほぼ満杯の状態にあると判定するステップと、
前記判定に応答して、ビンハンドラの第１のエンドエフェクタに空のビンを係合させ、前記空のビンを有する前記ビンハンドラを前記満杯またはほぼ満杯のビンの近傍に動かすステップと、
前記満杯またはほぼ満杯のビンを前記ビンハンドラの第２のエンドエフェクタに係合させるステップと、
前記満杯またはほぼ満杯のビンを前記空のビンと取り替えるステップとを含む方法。
【請求項１４】
前記満杯またはほぼ満杯のビンをコンベヤ上に位置決めするステップをさらに含む、請求項１３に記載の方法。
【請求項１５】
前記空のビンを係合させる前記ステップが、前記空のビンを前記コンベヤから取り出すことを含む、請求項１４に記載の方法。
【請求項１６】
前記満杯またはほぼ満杯のビンを係合させる前に、前記第１のエンドエフェクタおよび前記第２のエンドエフェクタを回転させるステップをさらに含む、請求項１３に記載の方法。
【請求項１７】
分類ユニットを動作させる方法であって、
検査基準に基づいて複数のビンのうちのそれぞれのビン内へ複数の基板を分類するステップと、
前記複数のビンのうちの１つのビンが満杯またはほぼ満杯の状態にあると判定するステップと、
前記判定に応答して、ビンハンドラの第１のエンドエフェクタに空のビンを係合させ、前記空のビンを有する前記ビンハンドラを前記満杯またはほぼ満杯のビンの近傍に動かすステップとを含み、
前記ビンハンドラが、回転する水平クロスバーと、前記水平クロスバーから延びる垂直結合部材とを含み、前記第１のエンドエフェクタおよび前記第２のエンドエフェクタが、前記垂直結合部材の遠位端に結合され、
更に、
前記満杯またはほぼ満杯のビンを前記ビンハンドラの第２のエンドエフェクタに係合させるステップと、
前記満杯またはほぼ満杯のビンを前記空のビンと取り替えるステップとを含む方法。
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
トナー像を担持した記録材をその間のニップ部で挟持搬送してトナー像を定着する一対の回転体と、
前記一対の回転体を圧接する加圧機構と、
前記加圧機構による前記一対の回転体の圧接を解除する加圧解除機構と、
正逆回転可能な駆動源の第１の方向の駆動力と前記第１の方向と逆方向である第２の方向の駆動力を前記回転体の駆動と前記加圧解除機構の駆動とにワンウェイ構成のギアで切り替える駆動伝達機構であって、前記回転体の側から駆動を受けても前記加圧解除機構が動作しないように駆動を遮断する駆動遮断機構を備えた駆動伝達機構と、有する
ことを特徴とする定着装置。
【請求項２】
前記駆動遮断機構は前記駆動伝達機構の駆動伝達ギア列の一部を構成し、前記駆動伝達ギア列に介入した駆動接続位置と前記駆動伝達ギア列から離脱した駆動遮断位置との間を移動可能であることを特徴とする請求項１に記載の定着装置。
【請求項３】
前記駆動遮断機構を前記駆動接続位置と前記駆動遮断位置とに選択的に移動させる移動機構を有することを特徴とする請求項２に記載の定着装置。
【請求項４】
前記駆動遮断機構の前記駆動遮断位置から前記駆動接続位置に移動させる際のトルクＴは、前記駆動遮断機構の前記駆動接続位置から前記駆動遮断位置に移動させる際のトルクＷおよび前記ワンウェイ構成のギアで駆動を切り替えるときの空転トルクＶの和より大きいことを特徴とする請求項２又は３に記載の定着装置。
【請求項５】
発熱するヒータを有し、前記一対の回転体の一方が可撓性を有する無端状のベルトであり他方が駆動回転体であり、前記ヒータは前記ベルトと接触し、前記ベルトを介して前記駆動回転体を圧して、記録材を挟持搬送するニップ部を形成することを特徴とする請求項１乃至４の何れか一項に記載の定着装置。
【請求項６】
記録材にトナー像を形成する画像形成部を有し、記録材に画像を形成する画像形成装置であって、請求項１乃至５の何れか一項に記載の定着装置を備える画像形成装置。
【請求項７】
画像形成装置の装置本体に設けられ、少なくとも前記一対の回転体を備えた定着部に対するアクセスを可能とする開口部と、
前記開口部を閉じる閉鎖位置と前記開口部を開放する開放位置との間を移動可能な開閉部材と、
前記開閉部材の前記閉鎖位置から前記開放位置への移動に伴って前記駆動遮断機構を駆動接続位置から駆動遮断位置に移動させる、及び、前記開閉部材の前記開放位置から前記閉鎖位置への移動に伴って前記駆動遮断機構を前記駆動遮断位置から前記動接続位置に移動させる連動部材と、を有する
ことを特徴とする請求項６に記載の画像形成装置。